(57)【要約】【課題】ペン先側よりインキが漏出するおそれがなく、しかも、ペン先にインキ供給するための面倒な押圧操作を不要にする。【解決手段】第１の弁装置Ａが、前方付勢状態の弁部材４の外周面に設けた第１の弁部４１と、該第１の弁部４１と密接可能な第１の弁座５１とからなる。第２の弁装置Ｂが、第１の弁部４１より前方の弁部材４外周面に設けた第２の弁部４２と、第１の弁座５１より前方に配置した、第２の弁部４２が密接可能な第２の弁座５２とからなる。キャップ９を筆記具本体１のペン先側に装着した際、キャップ９の内壁によりペン先３が後方へ押圧され、弁部材４が後方移動されることにより、第１の弁装置Ａが開口されるとともに第２の弁装置Ｂが閉鎖される。キャップ９を筆記具本体１のペン先側より外した際、弁部材４が前方移動されることにより、第１の弁装置Ａが閉鎖されるとともに第２の弁装置Ｂが開口される。【選択図】  図１
2006123433.tif 000002
【特許請求の範囲】
【請求項１】
ペン先とインキ貯溜部との間に、前記ペン先を後方移動させることによって開口する弁装置を設けた筆記具本体と、該筆記具本体のペン先側に着脱可能なキャップとからなり、前記筆記具本体のペン先側に前記キャップを装着することによって、前記ペン先を後方移動させ前記弁装置を開口させる液式筆記具であって、
前記弁装置が、第１の弁装置と、該第１の弁装置の前方に配置した第２の弁装置とからなり、前記第１の弁装置が、前方付勢状態の弁部材の外周面に設けた第１の弁部と、該第１の弁部と密接可能な第１の弁座とからなり、前記第２の弁装置が、前記第１の弁部より前方の弁部材外周面に設けた第２の弁部と、前記第１の弁座より前方に配置した、第２の弁部が密接可能な第２の弁座とからなり、
キャップを筆記具本体のペン先側に装着した際、キャップの内壁によりペン先が後方へ押圧され、前記弁部材が後方移動されることにより、前記第１の弁装置が開口されるとともに前記第２の弁装置が閉鎖され、
キャップを筆記具本体のペン先側より外した際、前記弁部材が前方移動されることにより、前記第１の弁装置が閉鎖されるとともに且つ前記第２の弁装置が開口されることを特徴とする液式筆記具。
【請求項２】
キャップ開口部の内面に、筆記具本体のペン先側外面と嵌合可能な嵌合部を形成し、前記嵌合部の前方のキャップ内面に、ペン先を後方へ押圧するペン先押圧部を形成し、前記嵌合部に対してペン先押圧部が、前後方向に可動しないよう固定される請求項１記載の液式筆記具。
【請求項３】
筆記具本体のペン先側よりキャップを前方へ取り外す際に要する力は、筆記具本体のペン先側にキャップを装着した状態における弁部材の前方付勢力よりも大きく設定される請求項１または２記載の液式筆記具。
【発明の詳細な説明】
【技術分野】
【０００１】
本発明は、液式筆記具に関する。詳細には、ペン先を後方に押圧することにより弁装置を開口し、ペン先にインキを供給する液式筆記具に関する。
【０００２】
尚、本発明で、「前」とは、筆記具本体においてペン先側を指し、キャップにおいて閉塞側を指し、「後」とは、筆記具本体においてインキ貯溜部側を指し、キャップにおいてペン先挿入用の開口側を指す。
【背景技術】
【０００３】
従来、この種の液式筆記具において、特許文献１には、弁装置を開閉させてインキ収容室のインキをペン先に供給できるようにしたペン軸と、略階段状又は略アーチ状の肉薄部を介して移動可能とした可動部を設けたキャップとからなる構成が開示されている。
【特許文献１】特開２００２−１７８６８５号
【発明の開示】
【発明が解決しようとする課題】
【０００４】
前記従来の液式筆記具は、キャップをペン先側に装着した状態で、キャップの可動部をペン先側へ押圧操作し、それにより、弁装置を開口させる構造である。前記従来の液式筆記具は、弁装置を開口させる際に筆記面にペン先を押し当てることは不要になるが、弁装置を開口させるために押圧操作を意識的に行うことは必要であり、その押圧操作はユーザーにとって面倒なものであった。
【０００５】
また、前記従来の液式筆記具は、押圧操作を必要回数以上繰り返した場合や、インキ貯溜部内の圧力が上昇した場合に、インキ貯溜部からペン先にインキが過剰に供給され、ペン先側よりインキが漏出するおそれがある。
【０００６】
本発明は前記従来の問題点を解決するものであって、ペン先の後方移動が必要回数以上繰り返された場合や、インキ貯溜部内の圧力が上昇した場合でも、ペン先側よりインキが漏出するおそれがなく、しかも、ペン先にインキ供給するための面倒な押圧操作を不要とする液式筆記具を提供しようとするものである。
【課題を解決するための手段】
【０００７】
本発明は、以下を要件とする。
【０００８】
（請求項１）
ペン先とインキ貯溜部との間に、前記ペン先を後方移動させることによって開口する弁装置を設けた筆記具本体と、該筆記具本体のペン先側に着脱可能なキャップとからなり、前記筆記具本体のペン先側に前記キャップを装着することによって、前記ペン先を後方移動させ前記弁装置を開口させる液式筆記具であって、
前記弁装置が、第１の弁装置と、該第１の弁装置の前方に配置した第２の弁装置とからなり、前記第１の弁装置が、前方付勢状態の弁部材の外周面に設けた第１の弁部と、該第１の弁部と密接可能な第１の弁座とからなり、前記第２の弁装置が、前記第１の弁部より前方の弁部材外周面に設けた第２の弁部と、前記第１の弁座より前方に配置した、第２の弁部が密接可能な第２の弁座とからなり、
キャップを筆記具本体のペン先側に装着した際、キャップの内壁によりペン先が後方へ押圧され、前記弁部材が後方移動されることにより、前記第１の弁装置が開口されるとともに前記第２の弁装置が閉鎖され、
キャップを筆記具本体のペン先側より外した際、前記弁部材が前方移動されることにより、前記第１の弁装置が閉鎖されるとともに前記第２の弁装置が開口されることを特徴とする液式筆記具。                
【０００９】
（請求項２）
キャップ開口部の内面に、筆記具本体のペン先側外面と嵌合可能な嵌合部を形成し、前記嵌合部の前方のキャップ内面に、ペン先を後方へ押圧するペン先押圧部を形成し、前記嵌合部に対してペン先押圧部が、前後方向に可動しないよう固定される請求項１記載の液式筆記具。
【００１０】
（請求項３）
筆記具本体のペン先側よりキャップを前方へ取り外す際に要する力は、筆記具本体のペン先側にキャップを装着した状態における弁部材の前方付勢力よりも大きく設定される請求項１または２記載の液式筆記具。
【発明の効果】
【００１１】
請求項１により、ペン先の後方移動が必要回数以上繰り返された場合や、インキ貯溜部内の圧力が上昇した場合でも、ペン先側よりインキが漏出するおそれがない。
【００１２】
請求項２により、通常のキャップの着脱操作で一定量のインキをペン先に供給を行うことができ、ペン先にインキ供給するための面倒な押圧操作が不要になる。
【００１３】
請求項３により、弁部材の前方への付勢力によってキャップが前方に外れることがなく、第１の弁装置が閉鎖され且つ第２の弁装置が開口された状態が適正に維持される。
【発明を実施するための最良の形態】
【００１４】
本発明を実施するための最良の形態を説明する。
【００１５】
〔１〕本発明は、ペン先３とインキ貯溜部２２ａとの間に、前記ペン先３を後方移動させることによって開口する弁装置を設けた筆記具本体１と、該筆記具本体１のペン先３側に着脱可能なキャップ９とからなり、前記筆記具本体１のペン先３側に前記キャップ９を装着することによって、前記ペン先３を後方移動させ前記弁装置を開口させる液式筆記具であって、前記弁装置が、第１の弁装置Ａと、該第１の弁装置Ａの前方に配置した第２の弁装置Ｂとからなり、前記第１の弁装置Ａが、前方付勢状態の弁部材４の外周面に設けた第１の弁部４１と、該第１の弁部４１と密接可能な第１の弁座５１とからなり、前記第２の弁装置Ｂが、前記第１の弁部４１より前方の弁部材４外周面に設けた第２の弁部４２と、前記第１の弁座５１より前方に配置した、第２の弁部４２が密接可能な第２の弁座５２とからなり、キャップ９を筆記具本体１のペン先３側に装着した際、キャップ９の内壁によりペン先３が後方へ押圧され、前記弁部材４が後方移動されることにより、前記第１の弁装置Ａが開口されるとともに前記第２の弁装置Ｂが閉鎖され、キャップ９を筆記具本体１のペン先３側より外した際、前記弁部材４が前方移動されることにより、前記第１の弁装置Ａが閉鎖されるとともに前記第２の弁装置Ｂが開口されること（請求項１）を要件とする。
【００１６】
前記液式筆記具（請求項１）は、キャップ９を筆記具本体１のペン先３側に装着した際、弁部材４が後方移動されることにより、第１の弁装置Ａが開口され且つ第２の弁装置Ｂが閉鎖される。前記キャップ９が装着された液式筆記具をペン先下向き状態にすると、前記第１の弁装置Ａが開口されていることにより、第１の弁装置Ａと第２の弁装置Ｂの間（即ち第１の弁装置Ａ前方且つ第２の弁装置Ｂの後方）のインキ流通空間１０へインキ貯溜部２２ａからインキが供給される。このとき、前記第２の弁装置Ｂが閉鎖されることにより、前記インキ流通空間１０からペン先３側へのインキ供給が遮断される。
【００１７】
そして、キャップ９を筆記具本体１のペン先３側より外すと、第１の弁装置Ａが閉鎖され且つ第２の弁装置Ｂが開口される。前記筆記具本体１をペン先下向き状態にすると、前記第２の弁装置Ｂが開口されていることにより、前記インキ流通空間１０内の一定量のインキがペン先３側に供給され筆記可能となる。前記第１の弁装置Ａが閉鎖されることにより、インキ貯溜部２２ａからインキ流通空間１０側へのインキ供給が遮断される。即ち、第１の弁装置Ａと第２の弁装置Ｂは同時に開口せず、ペン先３とインキ貯溜部２２ａとの間は、インキ流通空間１０を介して連通され、直接は連通されない。
【００１８】
それにより、ペン先３の後方移動が必要回数以上繰り返された場合や、インキ貯溜部２２ａ内の圧力が上昇した場合でも、ペン先３側より外部にインキが漏出するおそれがない。
【００１９】
〔２〕前記液式筆記具（請求項１）において、キャップ９開口部の内面に、筆記具本体１のペン先３側外面と嵌合可能な嵌合部９３ａを形成し、前記嵌合部９３ａの前方のキャップ９内面に、ペン先３を後方へ押圧するペン先押圧部９１を形成し、前記嵌合部９３ａに対してペン先押圧部９１が、前後方向に可動しないよう固定されること（請求項２）が好ましい。
【００２０】
前記液式筆記具（請求項２）は、キャップ９をペン先３側に装着する際のキャップ９の後方移動により、ペン先３が後方に押圧され、弁部材４が後方移動され、第１の弁装置Ａが開口されるとともに第２の弁装置Ｂが閉鎖され、第１の弁装置Ａと第２の弁装置Ｂの間のインキ流通空間１０へインキ貯溜部２２ａからインキが供給される。そして、キャップ９を取り外すことにより、弁部材４が前方移動され、第１の弁装置Ａが閉鎖されるとともに第２の弁装置Ｂが開口され、前記インキ流通空間１０の一定量のインキがペン先３に供給され、筆記可能となる。
【００２１】
即ち、前記液式筆記具（請求項２）は、通常のキャップ９の着脱操作で一定量のインキをペン先３に供給を行うことができ、ペン先３にインキ供給するための面倒な押圧操作（即ち意識的な押圧操作）が不要となる。
【００２２】
〔３〕前記液式筆記具（請求項１または２）において、筆記具本体１のペン先３側よりキャップ９を前方へ取り外す際に要する力は、筆記具本体１のペン先３側にキャップ９を装着した状態における弁部材４の前方付勢力よりも大きく設定されること（請求項３）が好ましい。
【００２３】
それにより、弁部材４の前方への付勢力によってキャップ９が前方に外れることがなく、第１の弁装置Ａが閉鎖され且つ第２の弁装置Ｂが開口された状態が適正に維持される。尚、前記嵌合部９３ａは、例えば、乗り越え嵌合部、ネジ嵌合部、または圧入嵌合部が挙げられる。
【実施例】
【００２４】
図１乃至図２に本発明の実施例を示す。
【００２５】
本実施例の液式筆記具は、筆記具本体１と、該筆記具本体１のペン先３側に着脱自在のキャップ９とからなる。
【００２６】
・筆記具本体
前記筆記具本体１は、内部にインキ貯溜部２２ａを備えた軸筒２と、該軸筒２の先端部に軸方向に移動可能に取り付けられるペン先３と、該ペン先３とインキ貯溜部２２ａとの間に配置され、ペン先３を前後移動させることによって開閉する弁装置とからなる。
【００２７】
・軸筒
前記軸筒２は、先軸２１と後軸２２とからなる。前記先軸２１が前記後軸２２の前端開口部に固着される。前記先軸２１は先端部に、ペン先３を軸方向に摺動可能に保持するペン先摺動孔２１ａが貫設される。前記ペン先摺動孔２１ａには、空気溝が軸方向に貫設される。前記後軸２２は、先端が開口され且つ後端が閉鎖された有底筒体である。前記先軸２１の外面には、キャップ９の内面の内向突起９３ａ（嵌合部）が乗り越え嵌合可能な外向突起２１ｂ（嵌合部）が形成される。
【００２８】
・ペン先
前記ペン先３は、繊維の樹脂加工体または多孔質体からなるペン体３１と、該ペン体３１の外周面に固着されたペン先保持筒３２とからなる。
【００２９】
・インキ吸収体
第２の弁装置Ｂ（第２の弁座５２）の前面には、環状のインキ吸収体８（例えば、スポンジ等の多孔質体）が配置される。キャップ装着状態において、ペン先３後端部の外周面が、前記インキ吸収体８の内周面に位置し、キャップ９を取り外した状態において、第２の弁部４２の外周面及びペン先３後端部の外周面が、前記インキ吸収体８の内周面に位置する。前記インキ吸収体８は、インキ流通空間１０からのインキを一時的に保持し、ペン先３へインキを過剰に供給することを防止するものである。
【００３０】
・弁装置
前記弁装置は、第１の弁装置Ａと、該第１の弁装置Ａの前方に配置される第２の弁装置Ｂからなる。前記第１の弁装置Ａは、第１の弁部４１と、第１の弁座５１とからなる。前記第２の弁装置Ｂは、第２の弁部４２と、第２の弁座５２とからなる。第１の弁装置Ａと第２の弁装置Ｂとの間（即ち第１の弁装置Ａ前方且つ第２の弁装置Ｂ後方）には、インキ流通空間１０が形成される。
【００３１】
前記弁装置（第１の弁装置Ａ及び第２の弁装置Ｂ）は、具体的には、弁部材４と、弁座部材５と、バネ座部材６と、バネ７とからなる。
【００３２】
・弁部材
前記弁部材４は、弁装置の軸心に配置される棒状体である。前記弁部材４は、その外面に、環状に突出する球面状の第１の弁部４１と、該第１の弁部４１の前方に環状に突出する直円柱状の第２の弁部４２とが一体に形成される。前記弁部材４の先端面には、ペン先取付孔が形成され、該ペン先取付孔にペン先３の後端部が圧入固着される。前記弁部材４の第１の弁部４１の後面にバネ７の先端が係止される。前記弁部材４は、常時、バネ７により前方に付勢される。
【００３３】
・弁座部材
前記弁座部材５は、前記弁部材４の外周に配置される筒状体である。前記弁座部材５は、その内面に、前記第１の弁部４１が密接可能な環状傾斜面よりなる第１の弁座５１と、該第１の弁座５１の前方に環状に突出する第２の弁座５２とが一体に形成される。前記弁座部材５の外面は、バネ座部材６の内面に圧入固着される。前記第１の弁座５１と第２の弁座５２との間の軸方向の距離は、前記第１の弁部４１と第２の弁部４２との間の軸方向の距離よりも、短く設定される。即ち、前記第１の弁座５１及び第２の弁座５２は、第１の弁部４１と第２の弁部４２との間に配置される。
【００３４】
・バネ座部材
前記バネ座部材６は、その内面が前記弁座部材５の外面に圧入固着されるとともに、その外面が後軸２２の開口部の内面に圧入固着される筒状体である。前記バネ座部材６は、側壁及び底壁に連通孔６１が貫設される。前記連通孔６１を介して、インキ貯溜部２２ａ内のインキがバネ座部材６内部に供給される。前記底壁の連通孔６１は、弁部材４の後端部が貫通される。また、前記底壁は、バネ７の後端を係止する。
【００３５】
前記バネ７は、圧縮コイルスプリングからなる。前記バネ７は、その先端が弁部材４の第１の弁部４１の後面に係止され、その後端がバネ座部材６の底壁に係止される。前記バネ７により、弁部材４が前方に付勢される。
【００３６】
・キャップ
キャップ９は、先端が閉鎖され且つ後端が開口された有底筒体からなる。前記キャップ９の底壁の内面には、後方に突出する筒状のペン先押圧部９１が一体に形成される。さらに、キャップ９の底壁には、ペン先押圧部９１の外周面を包囲する内筒部９２が、ペン先押圧部９１と同心円状に一体に形成される。前記内筒部９２の内面は、先軸２１の外面と密接しペン先３を密封する環状突起９２ａが形成される。また、キャップ９の底壁には、前記内筒部９２の外周面を包囲する外筒部９３が、内筒部９２と同心円状に一体に形成される。前記外筒部９３の内面には、先軸２１外面の外向突起２１ｂ（嵌合部）と乗り越え嵌合可能な内向突起９３ａ（嵌合部）が一体に形成される。
【００３７】
先軸２１外面の外向突起２１ｂと外筒部９３内面の内向突起９３ａとが乗り越え嵌合したキャップ装着状態からキャップ９を前方に外す際に要する力（キャップ抜き力）は、バネ７により弁部材４を前方へ付勢する力よりも大きく設定される。それにより、弁部材４の前方への付勢力によって、容易にキャップ９が外れることがなく、適正にキャップ装着状態が維持される。
【００３８】
本実施例の作用を説明する。
【００３９】
・キャップ装着状態（図１）
キャップ９を筆記具本体１のペン先３側に装着する過程で、キャップ９内面のペン先押圧部９１がペン先保持筒３２先端に当接し、ペン先３とともに弁部材４が後方に移動される。それにより、キャップ９を筆記具本体１のペン先３側に装着した状態において、第１の弁部４１は第１の弁座５１から離れて第１の弁装置Ａが開口されると同時に、第２の弁部４２が第２の弁座５２に密接して第２の弁装置Ｂが閉鎖される。このとき、インキがインキ貯溜部２２ａから第１の弁装置Ａを通って、インキ流通空間１０に供給されるが、ペン先３へのインキ供給は遮断されている。本実施例では、ペン先保持筒３２にペン先押圧部９１が当接し、ペン先押圧部９１とペン体３１とが直接接触していないため、ペン体３１の変形や損傷を防ぐことができる。
【００４０】
・キャップを取り外した状態（図２）
次に、キャップ９を筆記具本体１のペン先３側より取り外すと、キャップ９内面のペン先押圧部９１とペン先保持筒３２先端との当接状態が解除され、ペン先３とともに弁部材４が前方に移動される。それにより、第１の弁部４１が第１の弁座５１に密接して第１の弁装置Ａが閉鎖されると同時に、第２の弁部４２が第２の弁座５２から離れて第２の弁装置Ｂが開口される。このとき、インキ流通空間１０からインキがインキ吸収体８を介してペン先３に供給されるが、インキ貯溜部２２ａ内からインキ流通空間１０へのインキ供給は遮断されている。
【図面の簡単な説明】
【００４１】
【図１】本発明の実施例のキャップ装着状態を示す縦断面図である。
【図２】図１のキャップを外した状態を示す縦断面図である。
【符号の説明】
【００４２】
１  筆記具本体
２  軸筒
２１  先軸
２１ａ  ペン先摺動孔
２１ｂ  外向突起（嵌合部）
２２  後軸
２２ａ  インキ貯溜部
３  ペン先
３１  ペン体
３２  ペン先保持筒
４  弁部材
４１  第１の弁部
４２  第２の弁部
５  弁座部材
５１  第１の弁座
５２  第２の弁座
６  バネ座部材
６１  連通孔
７  バネ
８  インキ吸収体
９  キャップ
９１  ペン先押圧部
９２  内筒部
９２ａ  環状突起
９３  外筒部
９３ａ  内向突起（嵌合部）
１０  インキ流通空間
Ａ  第１の弁装置
Ｂ  第２の弁装置
【図１】
2006123433.tif 000003
【図２】
2006123433.tif 000004